(57)【要約】【課題】カートリッジに収納できるホログラム記録媒体自体の記録容量をできるだけ多くすると共に、連続的な情報の記録再生に適したホログラム記録媒体を提供する。【解決手段】本発明によるホログラム記録媒体は、媒体の外形およびその情報記録領域が方形状をなし、回転中心部を有することを特徴とする。そして、この回転中心部には、ホログラム情報記録再生装置に備わるスピンドル部品と係合する係合部を備え、媒体自体は記録再生の位置出し時にのみ回転し、情報記録再生時には静止する。また、このホログラム記録媒体は、媒体表面に記録再生の位置出し用情報を有し、この位置出し用情報は回転中心部の中心と同心の円周状に設けられ、角度の基準位置を示す基準位置情報とこの基準位置からの角度が認識可能なように設けられた相対角度位置情報とを有している。【選択図】図１
2008140476.tif 000002
【特許請求の範囲】
【請求項１】
媒体の外形およびその情報記録領域が方形状をなし、回転中心部を有することを特徴とするホログラム記録媒体。
【請求項２】
前記回転中心部には、ホログラム情報記録再生装置に備わるスピンドル部品と係合する係合部を備え、記録再生の位置出し時にのみ回転し、情報記録再生時には静止することを特徴とする請求項１に記載のホログラム記録媒体。
【請求項３】
媒体表面に記録再生の位置出し用情報を有することを特徴とする請求項１又は２に記載のホログラム記録媒体。
【請求項４】
前記位置出し用情報は前記回転中心部の中心と同心の円周状に設けられ、角度の基準位置を示す基準位置情報とこの基準位置からの角度が認識可能なように設けられた相対角度位置情報とを有していることを特徴とする請求項３に記載のホログラム記録媒体。
【請求項５】
ホログラム記録媒体に対して情報の記録再生を実行するホログラム記録再生装置であって、
光源と、
前記ホログラム記録媒体を回転させる媒体回転手段と、
前記光源と記録すべき情報から情報光を生成する情報光生成手段と、
前記光源から参照光を生成する参照光生成手段と、
情報記録時には、前記情報光と前記参照光とを干渉させながら前記ホログラム記録媒体に照射し、情報再生時には前記参照光を前記ホログラム記録媒体に照射するように光照射制御手段と、
前記媒体回転手段の動作を制御する媒体回転制御手段と、を備え、
前記ホログラム記録媒体は、媒体の外形およびその情報記録領域が方形状をなし、回転中心部を有し、前記媒体回転制御手段は、情報記録再生時には、前記ホログラム記録媒体が停止するように前記媒体回転手段を制御することを特徴とするホログラム記録再生装置。
【請求項６】
前記ホログラム記録媒体は、その表面に位置出し情報を有し、
前記媒体回転手段は、情報記録再生の位置出し時には、前記ホログラム記録媒体を回転させて前記参照光を用いて前記位置出し情報を読み出すことを特徴とする請求項５に記載のホログラム記録再生装置。
【請求項７】
前記位置出し用情報は前記回転中心部の中心と同心の円周状に設けられ、角度の基準位置を示す基準位置情報とこの基準位置からの角度が認識可能なように設けられた相対角度位置情報とを有していることを特徴とする請求項６に記載のホログラム記録再生装置。
【発明の詳細な説明】
【技術分野】
【０００１】
本発明はホログラム記録媒体、及びそれに対して情報の記録再生を行うホログラム記録再生装置に関する。
【背景技術】
【０００２】
近年、ディスク等の記録媒体に記録される情報の量は増大化の一途を辿っており、カートリッジ当りの容量はより大きいものが好まれる状況にある。また、記録再生装置を複数台組み合わせ、ライブラリ形式で記録再生装置の台数より更に多い複数巻のカートリッジに記録再生を行う装置が出現して来ている。これらライブラリ装置は従来テープ媒体を主に用いているが、テープ媒体の性質上データへのアクセスに時間がかかるという課題がある。一方、アクセス性に優れるＣＤ、ＤＶＤ、ＭＯなど既存のデータ記録媒体は、コンピュータテープカートリッジとサイズが異なり、ハンドリングロボットを新作する必要が生じ、既存の設備が無駄となってしまうという欠点がある。
そこで、近年では、テープカートリッジと同一サイズのカートリッジ内にＣＤ、ＤＶＤ、ＭＯ等のディスクメディアを収納し、アクセス性を確保すると同時に既存のハンドリングロボットを流用しようとする製品が出現して来ている。
【０００３】
このようなＣＤ、ＤＶＤ、ＭＯ等のディスクメディアは、その性質上読み書きの間、常に回転している必要があり、また、回転の途中で或る信号が途切れ、ディスク上の位置情報を失ってしまうと、読み書きが出来ない状態となってしまう。従って、記録エリアはディスク形状（円形）である必要がある。
【０００４】
ところで、近年注目を浴びているホログラム記録媒体は、光の干渉、回折現象を利用した記録媒体であり、参照光と情報（又は信号）光と呼ばれる２つの光の干渉パターンを記録媒体内部に立体的に記録できる記録媒体である。そして、特許文献１は、カートリッジに収めたホログラム記録媒体について開示しており、カートリッジの開口部から情報の記録再生を実行している。
【０００５】
【特許文献１】特開２００６−１７８３４１号公報
【発明の開示】
【発明が解決しようとする課題】
【０００６】
しかしながら、上述のＣＤ、ＤＶＤ、ＭＯ等のディスクメディアや特許文献１に開示されたホログラム記録媒体を収納する製品では、収納される記録媒体がディスク形状（円形）である必要があることから、通例方形状のカートリッジ内部に記録媒体で満たされない空間が生じてしまう。つまり、この空間には記録媒体が存在しないことになるため、記録容量向上のために、カートリッジ内部の空間全てを有効利用できていない。ホログラム記録媒体において、それを回転させずに記録再生動作を実行する場合には、記録媒体の形状をディスク状にする意味はない。また、ディスク形状の記録媒体の場合、方形状のカートリッジ内部にディスク状のメディアを収納させる必要があるため、多くの場合ディスクメディアをトレーに乗せて収納しており、カートリッジに収納できる記録媒体のサイズや枚数に制限を与えてしまっている。
【０００７】
その一方で、ディスク形状をなしていないホログラム記録媒体の場合、位置出しに問題があり、動画等の連続的な情報の記録には必ずしも適したものとはなっていない。
【０００８】
本発明はこのような状況に鑑みてなされたものであり、カートリッジに収納できるホログラム記録媒体自体の記録容量をできるだけ多くすると共に、連続的な情報の記録に適したホログラム記録媒体を提供するものである。
【課題を解決するための手段】
【０００９】
これらの問題を解決するため、通例方形状のカートリッジ内に、同じく方形状の記録媒体を収納する。例えば、カートリッジ内に方形状のホログラム記録メディアを収納する。ホログラム記録媒体は記録再生装置の構造を簡易化するために多くの場合ディスク状に作成される場合が多いが、方形状のメディアに記録再生する記録再生装置も構成することが出来る。よって、こうした記録再生装置と、方形状のホログラム記録媒体を収納したカートリッジを組み合わせたシステムとする。
【００１０】
特に二光束角度多重方式や波長多重方式の記録方式を採る場合、記録や再生の瞬間に記録媒体が回転している必要は無いため、方形状の形式を採りやすい。この時、方形状のカートリッジ内部は殆どが記録再生の領域で満たされるため、記録再生領域がディスク状である記録媒体を収納した時と比べて同一カートリッジ当りの記録容量は格段に向上する。また、上記の例と同じく、ディスク状のホログラム記録媒体を収納する場合に比べて情報記録媒体の収納効率にも優れ、引き出す作業も簡便化が可能である。もちろん、テープメディアと異なり、情報へのアクセス性も確保できる。
【００１１】
また、ホログラム記録媒体を用いる場合、その多重記録方式が二光束角度多重方式や波長多重方式である場合、記録再生の位置出しの動作と記録再生の動作を独立させることが可能になるため、記録再生の位置出しに情報記録媒体を回転させる、という動作を用いることができる。この時、情報記録媒体の表面には位置出し用の情報が存在しても良い。これにより、記録再生装置の構造は、ディスク状メディアを記録再生する事を想定した装置と同じように、簡易化することができる。
【００１２】
以上の点を踏まえて本発明の特徴を述べると、本発明によるホログラム記録媒体は、媒体の外形およびその情報記録領域が方形状をなし、回転中心部を有することを特徴とする。そして、この回転中心部には、ホログラム情報記録再生装置に備わるスピンドル部品と係合する係合部を備え、媒体自体は記録再生の位置出し時にのみ回転し、情報記録再生時には静止する。
【００１３】
また、このホログラム記録媒体は、媒体表面に記録再生の位置出し用情報を有し、この位置出し用情報は回転中心部の中心と同心の円周状に設けられ、角度の基準位置を示す基準位置情報とこの基準位置からの角度が認識可能なように設けられた相対角度位置情報とを有している。
【００１４】
本発明によるホログラム記録再生装置は、ホログラム記録媒体に対して情報の記録再生を実行するホログラム記録再生装置であって、光源と、ホログラム記録媒体を回転させる媒体回転手段と、光源と記録すべき情報から情報光を生成する情報光生成手段と、光源から参照光を生成する参照光生成手段と、情報記録時には、情報光と参照光とを干渉させながらホログラム記録媒体に照射し、情報再生時には参照光をホログラム記録媒体に照射するように光照射制御手段と、媒体回転手段の動作を制御する媒体回転制御手段と、を備え、ホログラム記録媒体は、媒体の外形およびその情報記録領域が方形状をなし、回転中心部を有し、媒体回転制御手段は、情報記録再生時には、ホログラム記録媒体が停止するように媒体回転手段を制御することを特徴とする。
【００１５】
また、ホログラム記録媒体は、その表面に位置出し情報を有し、媒体回転手段は、情報記録再生の位置出し時には、ホログラム記録媒体を回転させて参照光を用いて位置出し情報を読み出す。ここで、位置出し用情報は回転中心部の中心と同心の円周状に設けられ、角度の基準位置を示す基準位置情報とこの基準位置からの角度が認識可能なように設けられた相対角度位置情報とを有している。
【００１６】
さらなる本発明の特徴は、以下本発明を実施するための最良の形態および添付図面によって明らかになるものである。
【発明の効果】
【００１７】
本発明によれば、カートリッジに収納できるホログラム記録媒体自体の記録容量をできるだけ多くすることができ、さらに、連続的な情報の記録再生に適したホログラム記録媒体及びそれに対して情報の記録再生を行うことのできるホログラム記録再生装置を実現することができる。
【発明を実施するための最良の形態】
【００１８】
以下、本発明の実施形態に係るホログラム記録媒体について、添付図面を参照にしながら具体的に説明する。なお、本発明による実施形態は本発明を実現する上での一例に過ぎず、本発明はこれによって限定されるものではない。
【００１９】
＜ホログラム記録媒体の構造＞
図１は、本実施形態に係るホログラム記録媒体１の構造を示す図である。図１において、ホログラム記録媒体１００は方形状をなしており、上基板１１０と下基板１３０によってホログラム記録材料を挟んで形成されたホログラム記録層１２０を備えている。また、ホログラム記録媒体１００の表面は、円形の中心領域１４０と情報が記録スポット１６１として記録される記録領域１６０で構成されている。中心領域１４０をなす基板表面には、記録領域１６０に記録される各記録スポット１６１が基準位置１５１（角度０°）からのどの位の角度をなして位置しているかを把握するための位置情報ピット群１５０が形成されている。
【００２０】
図２は、ホログラム記録媒体１００の裏面の構造（図２Ａ）と記録スポット１６１が記録されていく様子（図２Ｂ）を示す図である。図２Ａに示されるように、ホログラム記録媒体１００の裏面には、記録媒体１００を後述のホログラム記録再生装置の回転スピンドル部材に係合させるための係合部１７０が取り付けられている。この係合部１７０は、例えばマグネットチャッキング可能な係合部材をホログラム記録媒体１００の裏面に接着剤によって接着させることにより取り付けることができる。なお、ホログラム記録媒体１００に位置決めをするための位置決め用穴を設けることによってもスピンドルと係合させることができるので、係合部１７０は必須のものではない。
【００２１】
また、図２Ｂに示されるように、記録すべき情報を持った各記録スポット１６１は、例えば、媒体内周から順番に放射状にホログラム記録媒体１００の記録領域１６０に記録される。各記録スポットの大きさは予め決められているので、各記録スポットの記録位置は、基準位置１５１からの角度及び記録スポットの中心位置からの距離によって把握することができる。例えば、図２Ｂに示される記録スポット１６１ａは、基準位置１５１からの角度θ及び半径ｒによって表される。このようにして得られる各記録スポット１６１は、例えば、記録領域１６０の最内周部の記録スポット（管理用記録スポット）に、記録位置と記録された情報の内容を示す識別データと共に記録し、その情報を位置出し動作に使うようにしてもよい。
【００２２】
後述するように、データの記録再生動作を行うときにはホログラム記録媒体１００を回転させないが、位置情報ピット群１５０を読み出して位置出し動作を行うときにはホログラム記録媒体１００を回転させる。このように、位置出し動作と記録再生動作は互いに独立しているため、図２Ｂで示したような放射状に記録していってある点を含む円周上でメディアが途切れてしまう位置、例えば方形状記録媒体の四隅の部分でも位置出し及び記録再生が可能となるのである。従って、方形状記録媒体の殆ど全面においてデータを記録することができる。
【００２３】
図３は、複数のホログラム記録媒体１００を収納するためのカートリッジ２００の構造を示す図である。カートリッジ２００は、ホログラム記録媒体１００を収納する収納筐体２１０と、この収納筐体２１０の開口部を閉じるための蓋部材２２０で構成される。蓋部材２２０は、収納筐体２１０の側面であって開口部付近の所定の位置２２１で軸回転自在に軸支されている。また、この蓋部材２２０は、開口部を覆っているときには収納されているホログラム記録媒体１００が感光しないように完全に遮光する構造を備えている。
【００２４】
例えば、蓋部材２２０と収納筐体２１０との間に隙間が形成されないように、蓋部材２２０の開口部に接触する部分を柔らかいクッション材（ゴムや樹脂）を取り付けた構造が考えられる。また、収納筐体２１０の内側側壁にはホログラム記録媒体１００を１つずつ支持するための媒体支持棚２１１が複数設けられている。これによって、通例ディスクメディアを収納する場合に用いているトレーを用いる必要は無くなる。従って、このカートリッジ２００は収納効率に優れており、また、カートリッジ２００からトレーを介さずホログラム記録媒体１００を完全に引き出すことが可能であり、その動作を簡易化することができる。
【００２５】
例えば、記録再生装置側に媒体を引っ掛けて（若しくはクランプして）取り出しかつ収納するための引き出し機構を、媒体側にはその引き出し機構によって引っ掛けることが可能な引っ掛け孔をそれぞれ設けることによって、カートリッジ２００に対するホログラム記録媒体１００の収納・取り出し動作を可能とする。なお、カートリッジ２００内に収納されたホログラム記録媒体１００は、記録再生時に記録再生装置内でカートリッジより完全に引き出され、後述の記録再生装置のスピンドル部材と係合する。なお、記録再生装置は、ホログラム記録媒体１００の基準位置１５１を把握するので、記録又は再生動作後、媒体を元の方向とは異なる方向にカートリッジ２００に収納するという危険性はない。
【００２６】
また、上述のようにホログラム記録媒体１００は方形状をなしているので、カートリッジ２００に収納するとカートリッジの内部空間の殆どが記録再生可能な媒体で満たされることになり、ディスクメディアを収納した場合に比べてカートリッジ当りの記録容量を格段に向上させることが可能になる。
【００２７】
＜ホログラム記録再生装置の構成＞
図４は、本発明の実施形態によるホログラム記録再生装置３００の概略構成を示すブロック図である。図４において、ホログラム記録再生装置３００は、レーザ光源１、コリメータレンズ２、第１ビームスプリッタ４Ａ、第２ビームスプリッタ４Ｂ、空間光変調器５、２次元撮像素子６、記録光と再生光兼用の対物レンズ７、参照光用の対物レンズ８、プリズム９、反射ミラー１０、およびフォーカスアクチュエータ１１、記録再生されるデータ信号の処理を行う記録再生信号処理部３０、コントローラＩ／Ｆ３６および、記録すべきユーザデータを作成するパソコン等の上位装置３７とを備える。パソコン３７から与えられたユーザデータは、コントローラＩ／Ｆ３６を介して、記録再生信号処理部３０の記憶部３５に記録される。記憶部３５は、ＲＡＭなどの高速アクセス可能な半導体素子を用いることが好ましい。
【００２８】
記録再生信号処理部３０は、主として、ユーザデータを一時記憶する記憶部３５、与えられたユーザデータを符号化し、誤り訂正符号を生成する誤り訂正符号化部３４、符号化されたユーザデータを空間光変調器５へ与える形式のデータに変換する変調部３３、２次元撮像素子６から得た再生データを復調する復調部３１、復調されたデータに対して誤り訂正復号化処理をする誤り訂正復号化部３２によって構成される。
【００２９】
レーザ光源１は、たとえば半導体レーザ素子からなり、記録モードあるいは再生モードにおいて所定波長のレーザビームを出射するものである。このレーザ光源１からは、レーザビームがガウス分布状の光強度分布をもって出射される。レーザビームの光強度は、光束密度に比例する。コリメータレンズ２は、レーザ光源１から出射したレーザビームを平行ビームに変換するものである。このコリメータレンズ２から平行ビームとして出射されるレーザビームもまた、ガウス分布状の光強度分布をもつ。出射された平行ビームは、第１のビームスプリッタ４Ａに入射され、２つの方向に分離される。
【００３０】
第１のビームスプリッタ４Ａは、コリメータレンズ２から出射されたレーザビームを受け、このレーザビームを空間光変調器５に向かうホログラム記録用の情報光１８と、これとは別の光路を経て対物レンズ８へと向かう参照光１９とに分離する。第２のビームスプリッタ４Ｂは、空間光変調器５から対物レンズ７へと情報光１８を透過させる一方、記録媒体１００から対物レンズ７を通して戻ってくる再生光を受け、この再生光を２次元撮像素子６へと導く。
【００３１】
空間光変調器５は、たとえば液晶表示装置あるいはＤＭＤ（Deformable Mirror Device）からなり、記録モード時にのみ使用される。この空間光変調器５は、第１のビームスプリッタ４Ａを経て導かれてくる光強度分布が均一な情報光を２次元的な情報を表す情報光（２次元情報光）１８に変調するものである。
【００３２】
また、この情報光１８は、記録再生信号処理部３０の変調部３３から与えられたユーザデータに対応する分布を持つ光である。
【００３３】
２次元撮像素子６は、たとえばＣＣＤエリアセンサあるいはＣＭＯＳエリアセンサからなり、主として再生モード時に使用される。この２次元撮像素子６は、受光した再生光をデジタル信号に変換することにより、記録媒体１００の記録層１２０にホログラムとして記録された２次元的な情報を取り出す部分である。
【００３４】
取り出された２次元情報であるデジタル信号は、記録再生信号処理部３０の復調部３１へ送られる。
【００３５】
記録光・再生光兼用の対物レンズ７および参照光用の対物レンズ８およびプリズム９は、ヘッドユニット１２に一体化されており、参照光用の対物レンズ８は、記録光・再生光兼用の対物レンズ７に対して所定角度をなすように配置されている。この参照光用の対物レンズ８には、第１のビームスプリッタ４Ａから反射ミラー１０およびプリズム９を介して参照光１９が導かれてくる。
【００３６】
ヘッドユニット１２は、一方の対物レンズ７を通る記録光と他方の対物レンズ８を通る参照光とが記録媒体１００の記録層２３において互いに干渉するように、フォーカスアクチュエータ１１によって記録媒体の厚み方向に変位させられる。
【００３７】
フォーカスアクチュエータ１１は、電磁コイルなどで構成され、２つの光束（情報光１８、参照光１９）の干渉を調整する駆動手段である。たとえば、角度多重の場合は、対物レンズ８を駆動し、媒体に対する参照光１９の入射角度を調整するものである。
【００３８】
以上は一般的なホログラム記録再生装置の構成及び簡単な動作であるが、本発明の実施形態によるホログラム記録媒体１００に対して記録再生動作をする場合には、最初に、位置出し動作を実行する。つまり、ホログラム記録媒体１００を回転させながら、ホログラム記録媒体１００の中心部に設けられた位置情報ピット群１５０に対して参照光１９を照射し、基準位置１５１と各ピットの角度情報を把握する。そして、ホログラム記録媒体１００の最内周部に各記録スポットの位置情報及び識別情報が記録されている例では、位置出し動作終了後にホログラム記録媒体１００の回転を停止する。その後、参照光１９をその最内周の各記録スポットに対して照射することにより、記録領域１６０に記録されている各記録スポット１６１の位置情報（上述の角度θと半径ｒ）とその識別情報を取得し、それを対応付けて記憶部３５で管理する。
【００３９】
また、ホログラム記録媒体１００の適当な場所に図示しない半導体チップメモリを取り付け、図示しない非接触型半導体読み取り装置（ＲＦＩＤ装置）によって各記録スポットの位置情報及び識別情報を読み出したり、書き込むようにしてもよい。この方法を用いれば、ホログラム記録媒体１００を感光させずに各記録スポットの情報を管理することができるので、記録領域１６０を最大限に活用することができる。
【００４０】
なお、上述のように参照光を用いて位置情報ピット群１５０を読み出す（サーボ）ようにしているが、これに限られるものではない。例えば、レーザ光源１とは別に位置情報ピット群１５０を読み出し動作専用のレーザ光源を用いることも可能である。例えば、記録再生用には青色波長レーザを用い、サーボ用には赤色波長のレーザを用いると、記録材料として青色レーザにのみ反応するようなものの場合には、サーボ動作の際に記録材料への影響を抑えることができる。
【００４１】
続いて、記録再生動作についてさらに説明する。記録モードの場合でも、まずは、上述の位置出し動作が実行される。そして、記録媒体の回転を止めて記録動作に移行する。つまり、光源１から出射したレーザビームは、コリメータレンズ２、第１のビームスプリッタ４Ａ、空間光変調器５、第２のビームスプリッタ４Ｂ、対物レンズ７を順次経ることにより、情報光１８として記録媒体１００に照射される。また、光源１から出射したレーザビームは、コリメータレンズ２、第１のビームスプリッタ４Ａ、反射ミラー１０、プリズム９、対物レンズ８を順次経ることにより、記録媒体１００の記録層１２０で上記情報光１８と干渉するように参照光として照射される。ホログラム記録媒体１００においては、空間光変調器５により２次元情報光として変調された情報光１８と参照光１９とが光学的に干渉する結果、２次元的な情報を含むホログラムが記録される（各記録スポット１６１）。上述したように、この各記録スポット１６１は、ホログラム記録媒体１００に放射状に記録される。記録スポットを形成した場合には、その位置情報及び識別情報を例えば、最内周部に記録するか、半導体チップメモリに記録して管理情報として使えるようにする。
【００４２】
再生モードの場合でも、まずは、上述の位置出し動作が実行され、各記録スポットの管理情報（記録位置及び識別情報）を取得する。そして、記録媒体の回転を止めて再生動作に移行する。つまり、第１のビームスプリッタ４Ａから対物レンズ８を経て参照光のみが記録媒体１００に照射される。記録媒体の照射部位では、情報光および参照光の干渉によって記録されたホログラムに基づく再生光が生じ、この再生光が対物レンズ７および第２のビームスプリッタ４Ｂを通して２次元撮像素子６に受光される。これにより、媒体２０にホログラムとして記録された情報が再生される。
【００４３】
＜まとめ＞
以上説明したように、本発明の実施形態では、ホログラム記録媒体の外形およびその情報記録領域を方形状とし、回転中心部（中心領域）を有するようにしている。これにより、従来のディスク上の記録媒体よりも多くの記録容量を稼ぐことができる。また、回転中心部を有して媒体を回転させることができるので、位置出しやサーボを回転させて実行することができるので初期動作を高速にすることができる。
【００４４】
また、上記ホログラム記録媒体は、その回転中心部に、ホログラム情報記録再生装置のスピンドル部品と係合する係合部を有している。この係合部は例えばマグネットチャッキングを可能とするので、ホログラム記録媒体を記録再生装置にしっかりと固定することができる。そして、記録再生の位置出し時にのみ媒体を回転させ、情報記録再生時には静止するようにしている。
【００４５】
さらに、上記ホログラム記録媒体は、その表面に記録再生の位置出し用情報を有している。この位置出し用情報は回転中心部の中心と同心の円周状に設けられ、角度の基準位置を示す基準位置情報とこの基準位置からの角度が認識可能なように設けられた相対角度位置情報とを有している。位置出し用情報の例としては、媒体の中心部に同心円状に設けられたピット群が考えられ、そのうち１つを基準用のピットとする。基準用ピットは、角度０°の位置を示すものである。この位置出し情報を用いれば、記録領域に形成された記録スポット（大きさ既知）の記録位置（基準位置からの角度）を認識することができるようになる。なお、情報記録再生の位置出し時には、ホログラム記録媒体を回転させて参照光を用いて位置出し情報を読み出すようにしているので、新たに位置出し用情報を読み出すための手段を設ける必要がない。
【００４６】
本実施形態によるホログラム記録媒体は、テープ製品のような一次元的な位置出しと異なり、情報を記録、若しくは再生する位置へのアクセス（位置出し）はディスク媒体と同様な二次元の動作で行われることが可能であり、情報へのアクセス性はディスク媒体と同等のアクセス性を確保できる。
【００４７】
また、本カートリッジを記録再生する記録再生装置の構造は、光学部品をディスクに対してＸＹ方向の二次元で移動させる必要は無く、例えばＸ方向の位置次元のみの移動が必要なだけであり、ディスク状記録媒体を対象としたそれと同等である。
【図面の簡単な説明】
【００４８】
【図１】本発明によるホログラム記録媒体の表面を示す外観図である。
【図２】本発明によるホログラム記録媒体の裏面及び情報の記録の様子を示す図である。
【図３】本発明によるホログラム記録媒体を収納するためのカートリッジの外観構造を示す図である。
【図４】本発明によるホログラム記録媒体に対して情報記録再生を行うためのホログラム記録再生装置の概略構成を示す図である。
【符号の説明】
【００４９】
１００・・・ホログラム記録媒体
１１０、１３０・・・基板
１２０・・・ホログラム記録層
１４０・・・中心領域（回転中心部）
１５０・・・位置情報ピット群
１５１・・・基準位置
１６０・・・記録領域
２００・・・カートリッジ
３００・・・ホログラム記録情報再生装置
【図１】
2008140476.tif 000003
【図２】
2008140476.tif 000004
【図３】
2008140476.tif 000005
【図４】
2008140476.tif 000006